(57)【要約】【課題】  コンバータに電源電圧を供給可能な機能を有する放送受信装置において、ユーザによるオン／オフ設定が不要で、自動的にコンバータに対する給電の要否判定が行えるようにする。【解決手段】  アンテナのコンバータにケーブルを介して電源電圧を供給可能な機能を有する放送受信装置において、ケーブルへ出力される電圧を監視して短絡状態を検出可能な短絡検出手段（２０）を設け、短絡を検出した場合にはコンバータへの給電を自動的にオフしそのオフ状態を不揮発性のメモリ（８０）に記憶させ、表示装置の画面にコンバータへの給電をオフしたことを表示させる信号を出力するように構成した。【選択図】  図１
2009060482.tif 000002
【特許請求の範囲】
【請求項１】
アンテナに接続されるケーブルの一端が結合される端子に前記アンテナのダウンコンバータへ供給する電源電圧を生成し出力する電源回路と、該電源回路より前記端子に供給される電圧と基準電圧とを比較してケーブル接続状態の異常を検出可能な検出回路と、該検出回路の検出出力に基づいて前記電源回路の動作を停止制御可能な制御手段と、初期設定値を記憶可能な不揮発性メモリと、を備えた放送受信装置であって、
前記制御手段は、前記検出回路からケーブル接続状態の異常を検出したことを示す信号が入力された場合に、前記ダウンコンバータへの給電を停止するように前記電源回路を制御するとともに、ダウンコンバータへの給電停止制御状態を保持することを前記不揮発性メモリに記憶させることを特徴とする放送受信装置。
【請求項２】
前記制御手段は、前記ダウンコンバータへの給電停止に伴ない、表示装置の画面にダウンコンバータへの給電を停止したことを表示させる信号を出力するように構成されていることを特徴とする請求項１に記載の放送受信装置。
【請求項３】
前記制御手段は、前記ダウンコンバータへの給電が停止された状態で、受信チャンネルのスキャンが失敗している場合に、前記ダウンコンバータへの給電を許可、または給電を許可させるのに必要な操作を表示装置の画面に表示させる信号の出力、を行なうように構成されていることを特徴とする請求項１または２に記載の放送受信装置。
【請求項４】
前記不揮発性メモリには、出荷の際の初期設定値の１つとして前記ダウンコンバータへの給電を許可する情報が記憶されていることを特徴とする請求項１〜３のいずれかに記載の放送受信装置。
【請求項５】
前記制御手段は、前記検出回路からケーブル接続状態の異常を検出したことを示す信号が入力された場合に、前記ダウンコンバータへの給電を停止するように前記電源回路を制御した後、受信チャンネルのスキャンが既に成功していれば選択チャンネルの受信信号のレベルを判定し、受信信号レベルが充分であった場合にはダウンコンバータへの給電停止制御状態を保持することを前記不揮発性メモリに記憶させ、受信信号レベルが充分でなかった場合には異常発生を表示装置の画面に表示させる信号を出力するように構成されていることを特徴とする請求項１に記載の放送受信装置。
【発明の詳細な説明】
【技術分野】
【０００１】
本発明は、衛星放送信号の受信機能を有する放送受信装置に関し、特に、パラボラアンテナの放送信号ダウンコンバータにケーブルを介して電源電圧を供給可能な放送受信装置に関するものである。
【背景技術】
【０００２】
従来、衛星放送信号を受信する放送受信装置に接続されるパラボラアンテナ（以下、単にアンテナと称する）には放送受信信号をＩＦ信号に変換するダウンコンバータが設けられている。このダウンコンバータの電源電圧を供給する方式としては、ブースタを用いるものと放送受信装置からケーブルを介して電源電圧を供給するものがある。
【０００３】
また、衛星放送信号の受信においては、１つのアンテナに複数の放送受信装置を接続するいわゆる共同受信システムが採用されることがあるが、共同受信システムでは、１つのアンテナに接続された複数の放送受信装置のそれぞれからコンバータへ同時に電源電圧が供給されると、過給電によりコンバータが故障するなどの不具合が生じることがある。かかる不具合を回避するため、例えば特許文献１に開示されているような発明が提案されている。
【特許文献１】特許第３２７１９６７号公報
【発明の開示】
【発明が解決しようとする課題】
【０００４】
特許文献１に記載されている発明は、アンテナのコンバータにケーブルを介して電源電圧を供給する電源供給手段と、コンバータへ供給する電源電圧を「オン」（供給）または「オフ」（遮断）に設定するための選択メニュー画面を表示するための表示処理手段と、ユーザが「オン」を設定した場合にはコンバータに電源電圧を供給するように電源供給手段を制御しユーザが「オフ」を設定した場合にはコンバータに電源電圧を供給しないように電源供給手段を制御する制御手段とを設けるようにしたものである。
【０００５】
かかる先願発明に従うと、リアパネルにコンバータへの給電をオン／オフするためのマニュアルスイッチを設ける必要がなく、ユーザがメニュー画面の表示を見ながら「オフ」を設定することで、１つのアンテナのコンバータへ複数の放送受信装置から同時に電源電圧が供給される事態が生じるのを回避することはできる。しかし、コンバータに対する給電の要否判断はユーザが行わなくてはならず、電気製品の知識が乏しい人にとっては機能を理解することができず、必要な設定が適正になされない場合が生じることがある。
【０００６】
また、特許文献１の発明では、ユーザが最初に放送受信装置をアンテナに接続する際に生じる前記不具合を回避するには、放送受信装置の工場出荷時の初期状態として「オフ」を設定しておく必要がある。ところが、初期状態として「オフ」が設定されていると例えばアンテナと放送受信装置とが１：１の関係で接続され他の装置からコンバータへの給電がなされない環境では、最初に放送受信装置をセットした際に必ず受信不能状態となるため、ユーザによっては故障していると勘違いするおそれがある。
【０００７】
本発明の目的は、アンテナのコンバータに電源電圧を供給可能な機能を有する放送受信装置において、ユーザによるオン／オフ設定が不要で、自動的にコンバータに対する給電の要否判定が行えるようにすることにある。
【０００８】
本発明の他の目的は、アンテナのコンバータに電源電圧を供給可能な機能を有する放送受信装置において、放送受信装置の初期状態として「オン」（電源供給）を設定しておくようにすることができ、それによって例えばアンテナと放送受信装置とが１：１の関係になるような環境で最初に放送受信装置をセットした際に、短絡等の不具合がないにもかかわらず受信不能状態となるのを回避することができるようにすることにある。
【課題を解決するための手段】
【０００９】
本発明は、上記目的を達成するため、アンテナのダウンコンバータにケーブルを介して電源電圧を供給可能な機能を有する放送受信装置において、ケーブルへ出力される電圧を監視して短絡状態を検出可能な短絡検出手段を設け、短絡を検出した場合にはダウンコンバータへの給電を自動的にオフしそのオフ状態を不揮発性のメモリに記憶させ、表示装置の画面にダウンコンバータへの給電をオフしたことを表示させる信号を出力する。また、ダウンコンバータへの給電がオフされた状態で、受信チャンネルのスキャンが失敗した場合もしくは受信チャンネルのスキャンが成功していて受信信号レベルが充分でない場合には、ダウンコンバータへの給電をオンさせるか給電をオンさせるのに必要な操作を表示装置の画面に表示させる信号を出力するように構成したものである。
【００１０】
より具体的には、アンテナに接続されるケーブルの一端が結合される端子に前記アンテナのダウンコンバータへ供給する電源電圧を生成し出力する電源回路と、該電源回路より前記端子に供給される電圧と基準電圧とを比較してケーブル接続状態の異常を検出可能な検出回路と、該検出回路の検出出力に基づいて前記電源回路の動作を停止制御可能な制御手段と、初期設定値を記憶可能な不揮発性メモリと、を備えた放送受信装置において、前記制御手段は、前記検出回路からケーブル接続状態の異常を検出したことを示す信号が入力された場合に、前記ダウンコンバータへの給電を停止するように前記電源回路を制御するとともに、ダウンコンバータへの給電停止制御状態を保持するように構成した。
【００１１】
上記した手段によれば、ケーブルの短絡もしくは他の装置からダウンコンバータに対して給電が行われている場合に、ユーザによるオン／オフ設定が不要で、自動的にダウンコンバータに対する給電の要否判定が行えるようになる。
【００１２】
ここで、望ましくは、前記制御手段は、前記ダウンコンバータへの給電停止に伴ない、表示装置の画面にダウンコンバータへの給電を停止したことを表示させる信号を出力するように構成する。これによって、自動的にダウンコンバータに対する給電の停止が行われた場合に、ユーザはその事実を知ることができる。
【００１３】
さらに、望ましくは、前記制御手段は、前記ダウンコンバータへの給電が停止された状態で、受信チャンネルのスキャンが失敗している場合に、前記ダウンコンバータへの給電を許可、または給電を許可させるのに必要な操作を表示装置の画面に表示させる信号の出力、を行なうように構成する。これによって、異常が発生した場合に、ユーザはダウンコンバータへの給電が許可されたことまたは給電を解除するのに必要な操作内容を知ることができる。
【発明の効果】
【００１４】
本発明に従うと、アンテナのコンバータに電源電圧を供給可能な機能を有する放送受信装置において、ユーザによるオン／オフ設定が不要で、自動的にコンバータに対する給電の要否判定が行え、ユーザの使い勝手を向上させることができるようになる。また、放送受信装置の初期状態として「オン」（電源供給）を設定しておくようにすることができ、それによって例えばアンテナと放送受信装置とが１：１の関係になるような環境で最初に放送受信装置をセットした際に、短絡等の不具合がないにもかかわらず受信不能状態となるのを回避し、ユーザが故障と誤認するおそれを防止できるという効果がある。
【発明を実施するための最良の形態】
【００１５】
以下、本発明の実施の形態について図面を参照して説明する。
【００１６】
図１は、ダウンコンバータに電源電圧を供給可能な機能を有する本発明に係る放送受信装置における短絡検出回路の構成例を示したものである。
【００１７】
この実施例の放送受信装置は、アンテナに設けられているダウンコンバータに必要な電源電圧（以下、ＬＮＢ電源と称する）を生成するＬＮＢ用電源回路１０やケーブルの短絡検出回路２０を有する。
【００１８】
ＬＮＢ用電源回路１０は、図示しないテレビジョン装置などから供給される＋１７Ｖのような直流電圧Ｖｉｎを受けて例えば＋１５ＶのようなＬＮＢ電源を生成する降圧型のレギュレータ１１と、該レギュレータ１１により生成されたＬＮＢ電源をノイズカット等の処理をして出力するＬＮＢ出力部１２などからなる。
【００１９】
レギュレータ１１には、スイッチングレギュレータやシリーズレギュレータなど任意のレギュレータを使用することができる。アンテナ端子３０には、該端子より入力される受信信号の選局を行うチューナや復調を行う復調器などの機能を有する受信信号処理回路４０が接続されている。特に限定されるものではないが、ＬＮＢ用電源回路１０からのＬＮＢ電源は、ＬＮＢ出力部１２から受信信号処理回路４０などを経て（正確には内部インダクタを介して）アンテナケーブルが接続されているアンテナ端子３０にＬＮＢ電源が出力される。
【００２０】
また、短絡検出回路２０は、所定のレベルの基準電圧Ｖｒｅｆを発生する基準電圧回路２１と、上記アンテナ端子３０に出力されるＬＮＢ電源と上記基準電圧Ｖｒｅｆとを比較してＬＮＢ電源がＶｒｅｆよりも低いか否か検出する電圧比較回路２２と、電圧比較回路２２がＬＮＢ＜Ｖｒｅｆを検出して出力が変化したときに検出パルスＰｄｅｔを生成し出力するパルス生成回路２３などを備える。
【００２１】
上記パルス生成回路２３は、電圧比較回路２２の出力信号を遅延する遅延回路とイクスクルーシブＯＲゲートとからなるワンショットパルス生成回路などにより構成することができる。そして、この実施形態では、このパルス生成回路２３から出力された検出パルスＰｄｅｔが、装置全体を制御するマイクロプロセッサもしくはマイクロコンピュータのような制御手段（以下、ＣＰＵと記す）５０の割込み端子へ割込み信号として入力され、ＣＰＵ５０はこの検出パルスＰｄｅｔを受けると、図２に示されているような割込み処理を開始する。
【００２２】
上記ＣＰＵ５０には、該ＣＰＵが実行するプログラムや固定データを記憶するＲＯＭ（リードオンリメモリ）６０、ＣＰＵの作業領域や一次記憶領域を提供するＲＡＭ（ランダムアクセスメモリ）７０、装置の初期状態などを記憶するフラッシュメモリのような不揮発性メモリ（ＮＶＲＡＭ）８０が接続されている。
【００２３】
また、ＣＰＵ５０は、図２の割込み処理においてＬＮＢ電源をオフにする指令を出すことが可能にされており、ＬＮＢ電源オフ指令により上記レギュレータ１１のＯＮ／ＯＦＦスイッチをＯＦＦし、＋１５Ｖの供給を遮断することでＬＮＢ電源の出力をオフするように構成されている。なお、上記基準電圧回路２１と電圧比較回路２２は、レギュレータ１１により生成されたＬＮＢ電源により動作するようにされており、＋１５Ｖの供給が遮断されるとこれらの回路の動作も停止するように構成されている。
【００２４】
図２には、図１の短絡検出回路２０からの検出パルスＰｄｅｔを割込み端子に受けるＣＰＵ５０による短絡検出時のＬＮＢ電源の自動設定処理の手順の一例が示されている。なお、本実施例の放送受信装置は、不揮発性メモリ８０にＬＮＢ電源設定＝ＯＮが記憶され、ＬＮＢ用電源回路１０の初期状態つまり工場出荷時の状態としてアンテナへの電源電圧を出力する状態が設定されているものとする。図２の処理は、不揮発性メモリ（ＮＶＲＡＭ）８０にＬＮＢ電源設定＝ＯＮが記憶されている場合のものである。
【００２５】
ＣＰＵ５０は、短絡検出パルスＰｄｅｔを受けると図２の割込み処理を開始し、先ずＬＮＢ電源をオフにする（ステップＳ１）。これにより、図１のレギュレータのＯＮ／ＯＦＦスイッチをＯＦＦし、＋１５Ｖの供給が遮断されて、ＬＮＢ用電源回路１０および短絡検出回路２０の動作が停止され、ケーブルを介したコンバータへの給電がオフされる。次に、ＣＰＵ５０は、電源投入時に実行されるメイン制御処理にて行われる受信チャンネルの周波数帯を順次検出するスキャンと呼ばれる処理が完了しているか判定する（ステップＳ２）。
【００２６】
ここで、スキャンが完了していなければ、ＣＰＵ５０は、ステップＳ１で設定したＬＮＢ電源設定＝ＯＦＦを不揮発性メモリ（ＮＶＲＡＭ）に保存してから、ＬＮＢ電源設定をオフにしたことを表示装置の画面に表示させ、当該割込み処理を終了する（ステップＳ３，Ｓ４）。従って、その後ユーザが装置の電源をオフし、電源を再投入したときのレギュレータの状態はＬＮＢ電源設定＝ＯＦＦである。図１の短絡検出回路２０が検出可能な状態としては、ケーブル自体が短絡している本来の短絡の他に、分配器として図４（Ａ）のような直流通過型を使用していて他の同様な放送受信装置からコンバータに電源が供給されている場合がある。
【００２７】
このような状況で、後から本実施例の放送受信装置を設置した場合、図１の短絡検出回路２０から検出パルスＰｄｅｔが出力され、図２の割込み処理フローが開始されるので、上記ステップＳ３でＬＮＢ電源設定＝ＯＦＦを保存し、電源を再投入すると当該放送受信装置のレギュレータからコンバータに電源が供給されないようになる。そのため、電源再投入後は、複数の装置からコンバータに電源が供給されることによる不具合の発生は回避されるとともに、短絡検出回路２０からの割込みがＣＰＵ５０に入ることはなく後述のメイン処理により正常な放送受信による視聴が可能になる。なお、分配器として図４（Ｂ）のような直流遮断型を使用する場合には、ブースタを用いてコンバータに給電することとなるため、上記のような見かけ上の短絡は発生せず短絡検出回路２０も動作しない。
【００２８】
一方、図２のステップＳ２で、スキャン完了と判定すると、ステップＳ５へ移行して選択されている視聴チャンネルのアンテナレベルすなわち受信信号レベルをチェックし、受信信号レベルの良／不良を判定する（ステップＳ６）。そして、受信信号が良好であったときは、ステップＳ１で設定したＬＮＢ電源設定＝ＯＦＦを確定して不揮発性メモリ（ＮＶＲＡＭ）に保存し、当該割込み処理を終了する（ステップＳ７）。
【００２９】
ＬＮＢ電源設定＝ＯＦＦで受信信号が良好であったということは、当該装置からコンバータへ電源を供給しなくても正常に受信可能つまり放送の視聴継続が可能であるということであり、次回電源を投入したときにＬＮＢ電源設定＝ＯＦＦであったとしても視聴可能となるためである。ステップＳ６からＳ７へ移行するのは、例えば、アンテナと１：１で接続され正常に動作していた放送受信装置を、複数の放送受信装置で１つのアンテナを共有する環境に移動させた場合が考えられる。
【００３０】
このような場合、最初に共有アンテナのケーブルを接続したときに短絡検出回路からの検出パルスＰｄｅｔによる割込みがＣＰＵ５０に入り、図２の割込み処理フローが開始されるがＬＮＢ電源設定＝ＯＦＦとすることにより正常な視聴が可能になり、このＬＮＢ電源設定＝ＯＦＦを不揮発性メモリ（ＮＶＲＡＭ）に保存することにより、次に電源を投入したときは、当該装置からコンバータへ電源が供給されず複数の装置からコンバータに電源が供給されることによる不具合の発生は回避されるとともに、短絡検出回路２０も働かないため割込みが発生しないことになる。
【００３１】
また、ステップＳ６で受信信号レベルが不良と判定すると、ステップＳ８へ進んでケーブルの短絡を検出したことを表示装置の画面に表示させる。この場合、ＬＮＢ電源設定＝ＯＦＦを不揮発性メモリ（ＮＶＲＡＭ）に保存しない。従って、その後電源を再投入したときのレギュレータの状態はＬＮＢ電源オンである。ステップＳ８へ来るのはスキャンが完了しかつ受信信号が良好でない場合であり、スキャンが完了しているということは、一旦はＬＮＢ電源設定＝ＯＮでチャンネル受信ができたということつまり後からケーブルの短絡が発生したということであるので、短絡さえ解除されればＬＮＢ電源設定＝ＯＮをＬＮＢ電源設定＝ＯＦＦに変更する必要がないためである。ユーザは、表示を見て装置の電源をオフし、ケーブルの短絡を解除してから電源を再投入すると、ＬＮＢ電源オンの状態で立ち上がりスキャン済みであるので選択チャンネルの視聴が可能になる。
【００３２】
図３には、ＣＰＵ５０によるメイン制御処理の手順の一例が示されている。このメイン制御処理は受信装置の電源が投入されることにより実行される。
【００３３】
電源が投入されるとＣＰＵ５０は、先ず受信チャンネルのスキャンが完了しているか否か判定する（ステップＳ１１）。ここで、スキャンが完了していると判定するとステップＳ１４へジャンプして視聴状態となる。正常に受信、視聴ができた放送受信装置の２回目以降の電源投入の際はこのような流れとなる。一方、ステップＳ１１でスキャンが完了していないと判定すると受信チャンネルの周波数帯を順次検出するスキャンを実行する（ステップＳ１２）。そして、スキャンが終了するとスキャンが成功したか否か判定する（ステップＳ１３）。スキャンが成功していれば選択されているチャンネルの視聴状態（ステップＳ１４）へ移行し、スキャンに失敗するとステップＳ１７へ移行してＬＮＢ電源がオン状態にあるか否か判定する。スキャンに失敗するのは、受信信号のレベルが充分でない場合等である。
【００３４】
ステップＳ１７でＬＮＢ電源がオン状態にない（ＬＮＢ＝ＯＦＦ）と判定すると、ステップＳ１８へ移行して「ＬＮＢ電源設定をオンにするには設定の初期化が必要である」旨の表示を行い、ユーザによる入力操作待ち状態になる。ＬＮＢ＝ＯＦＦの状態でステップＳ１２のスキャンに失敗した場合には、初期状態のＬＮＢ電源設定＝ＯＮに戻して処理を最初からやり直すのが望ましいためである。ユーザは上記表示を見てリモコンを操作してメニュー画面に切り替え、初期化を選択して実行させることでＬＮＢ電源設定＝ＯＮとなる。その後、電源がオフされて再度電源が投入されると再びステップＳ１１からの処理が実行される。
【００３５】
また、上記ステップＳ１７でＬＮＢ電源がオン状態にある（ＬＮＢ＝ＯＮ）と判定すると、ステップＳ１９へ移行して「受信チャンネルなし」などチャンネルスキャンのエラー表示を行い、ユーザによる電源オフ操作待ち状態になる。ＬＮＢ＝ＯＮにもかかわらずステップＳ１２のスキャンに失敗したのは、アンテナが接続されていないかアンテナの向きがあっていないことが考えられるためである。電源オフ操作待ち状態で電源がオフされ、再度電源が投入されると再びステップＳ１１からの処理が実行される。
【００３６】
一方、ステップＳ１３でスキャンに成功と判定して選択チャンネルの視聴状態（ステップＳ１４）に移行した後もステップＳ１５で常時受信信号レベルを監視しており、受信信号が受信不可レベルまで低下すると受信エラー表示（ステップＳ１６）を行い、ユーザによる入力操作（メニュー画面による入力操作または電源オフ操作）を待つ状態になる。このような例としては、例えば、１つのアンテナを共有し他の受信装置からアンテナのコンバータに電源が供給されており、当該受信装置ではＬＮＢ電源がＯＦＦに設定された状態で図３のステップＳ１２のスキャンに成功し、ステップＳ１４の視聴状態まで動作していた受信装置をアンテナと１：１の関係で接続される環境に移した場合がある。
【００３７】
この場合、ステップＳ１１でスキャン済みと判定されてステップＳ１４へジャンプし、ステップＳ１５で受信信号なしと判定されてステップＳ１６のエラー表示を経て入力操作待ち状態になる。また、ＬＮＢ電源設定＝ＯＦＦであるため、図２の短絡検出回路２０は動作せず、図２の割込み処理も実行されない。そこで、ユーザがメニュー画面から初期設定を選択して、初期化を行うとＬＮＢ電源オン（ＬＮＢ＝ＯＮ）が設定される（ステップＳ２１，Ｓ２２）。そして、初期化が行われると自動リブートによる装置の再起動（ステップＳ２３）が行われて、アンテナのコンバータに電源が供給される状態になるため、ステップＳ１１へ戻ってスキャンが終了していないと判定されてステップＳ１２のスキャンが実行され、ステップＳ１３でスキャン成功と判定されればステップＳ１４の視聴状態へと移行することとなる。
【００３８】
なお、ステップＳ１６の後の入力操作待ち状態では電源オフ操作も可能であり、電源がオフされて再度電源が投入されると再びステップＳ１１からの処理が実行される。ただし、この場合には、ユーザ操作による初期化がなされていないため、上記と同じ流れとなり、再度ステップＳ１６のエラー表示が行われる。
【００３９】
以上本発明者によってなされた発明を実施形態に基づいて具体的に説明したが、本発明はそれに限定されるものではない。例えば、前記実施形態においては、図３のステップＳ１８で「ＬＮＢ電源をオンにするには設定の初期化が必要である」旨の表示を行ってユーザによる初期設定を待つようにしているが、ステップＳ１８で自動的にＬＮＢ電源設定をオンにさせるようにすることも可能である。そして、その場合、ユーザによる電源オフ操作待ち状態になってもよいし、自動リブートによる装置の再起動を行わせるようにしても良い。
【００４０】
また、前記実施形態においては、短絡検出回路２０に基準電圧Ｖｒｅｆを発生する基準電圧回路２１を設けているが、基準電圧回路２１を設ける代わりに外部（例えばＣＰＵ）から基準電圧Ｖｒｅｆを与えるように構成することも可能である。さらに、前記実施形態においては、ＬＮＢ出力部１２から受信信号処理回路４０を経てアンテナケーブルが接続されているアンテナ端子３０にＬＮＢ電源が出力されるように構成されていると説明したが、ＬＮＢ出力部１２から直接アンテナ端子３０にＬＮＢ電源が出力されるように構成してもよい。
【産業上の利用可能性】
【００４１】
以上の説明では主として本発明者によってなされた発明をその背景となった利用分野である衛星放送の受信チューナを有する衛星放送受信用テレビジョンに適用した場合について説明したが、本発明はそれに限定されるものでなく、衛星放送受信チューナを有するＳＴＢ（セットトップボックス）やＤＶＤレコーダその他放送受信機能を有する装置に広く利用することができる。
【図面の簡単な説明】
【００４２】
【図１】コンバータに電源電圧を供給可能な機能を有する本発明に係る放送受信装置における短絡検出回路の構成例を示すブロック図である。
【図２】マイクロコンピュータ（ＣＰＵ）による短絡検出時のＬＮＢ電源の自動設定処理の手順の一例を示すフローチャートである。
【図３】マイクロコンピュータ（ＣＰＵ）によるメイン制御処理の手順の一例を示すフローチャートである。
【図４】図４（Ａ）は共用アンテナのコンバータと複数の放送受信装置との間に設けられる直流通過型の分配器の概略図、図４（Ｂ）は直流遮断型の分配器の概略図である。
【符号の説明】
【００４３】
１０  ＬＮＢ用電源回路
１１  レギュレータ
１２  ＬＮＢ出力回路
２０  短絡検出回路
２１  基準電圧回路
２２  電圧比較回路
２３  パルス生成回路
３０  アンテナ端子
４０  受信信号処理回路
５０  制御手段（マイクロコンピュータ，ＣＰＵ）
８０  不揮発性メモリ（ＮＶＲＡＭ）
【図１】
2009060482.tif 000003
【図２】
2009060482.tif 000004
【図３】
2009060482.tif 000005
【図４】
2009060482.tif 000006